(57)【要約】【課題】熱交換器で発生し流下する凝縮水の流水経路全体を効果的に除菌できるようにすることにより、抗菌および防かびの効果を更に向上できるようにした空気調和機を提供する。【解決手段】本体Ａに設けられた吸込口１と吹出口２とを結ぶ空気通路に、多数のフィン３ａおよび伝熱管３ｂからなる熱交換器３と、送風ファン５とを設け、前記熱交換器３の下部に滴下する凝縮水を受けるドレンパン４を設けると共に、前記吸込口１に臨ませた前記熱交換器３の上端部に、抗菌防かび剤を含侵させた抗菌部材７を装着してなり、前記吸込口１からの吸込空気と、前記熱交換器３との温度差によって前記抗菌部材７の表面に凝縮水を発生させ、同凝縮水により前記抗菌防かび剤を溶解して除菌水として流下させることにより、前記熱交換器３および前記ドレンパン４を除菌できるようにした。【選択図】  図１
2004361031.tif 000002
【特許請求の範囲】
【請求項１】
本体に設けられた吸込口と吹出口とを結ぶ空気通路に、多数のフィンおよび伝熱管からなる熱交換器と、送風ファンとを設け、前記熱交換器の下部に、同熱交換器から滴下する凝縮水を受けるドレンパンを設けると共に、前記吸込口に臨ませた前記熱交換器の上端部に、抗菌防かび剤を含侵させた抗菌部材を装着してなり、
前記吸込口からの吸込空気と、前記熱交換器との温度差によって前記抗菌部材の表面に凝縮水を発生させ、同凝縮水により前記抗菌防かび剤を溶解して除菌水として流下させることにより、前記熱交換器および前記ドレンパンを除菌してなることを特徴とする空気調和機。
【請求項２】
前記抗菌部材に、前記フィン間に嵌入して前記伝熱管に係止する係止爪が形成されてなることを特徴とする請求項１に記載の空気調和機。
【請求項３】
前記抗菌部材が、熱伝導板を介して前記熱交換器の上端部に装着されるようにしてなることを特徴とする請求項１に記載の空気調和機。
【請求項４】
前記抗菌部材に、前記熱伝導板に係合する係合片を連続形成すると共に、前記熱伝導板に、前記フィン間に嵌入して前記伝熱管に係止する係止爪が形成されてなることを特徴とする請求項１または請求項３に記載の空気調和機。
【請求項５】
前記抗菌部材が、合成樹脂からなる基材に抗菌防かび剤を含浸させてなることを特徴とする請求項１乃至請求項４の何れかに記載の空気調和機。
【請求項６】
前記抗菌部材および、または前記熱伝導板が、前記吸込口に臨ませた多数の穴またはスリットを備えると共に、前記熱交換器の左右全幅にわたって装着されるようにしてなることを特徴とする請求項１乃至請求項５の何れかに記載の空気調和機。
【発明の詳細な説明】
【０００１】
【発明の属する技術分野】
本発明は、空気調和機に係わり、より詳細には、熱交換器、ドレンパンおよびドレンホース等の流水経路全体に繁殖する細菌やかびの発生を効果的に防止できるようにした構造に関する。
【０００２】
【従来の技術】
従来の空気調和機は、例えば凝縮水が流れる熱交換器、水受け皿（ドレンパン）、ドレンホースの流水経路全体の抗菌防かび処理が可能な空気調和機の室内機用熱交換器を形成するものとして、空気調和機の室内機用熱交換器において、抗菌防かび性のある棒状の特殊板（抗菌部材）を、熱交換器の上部の位置に設けて構成し、特殊板（抗菌部材）は、多数の穴を設けたポーラス材、熱交換器のフィンを挟み込むようにスリット形状、銀系抗菌性ゼオライトとチアゾリン系の抗菌防カビ剤のうち少なくとも一種また二種を混入したもの、ポリアミド樹脂を用い１０〜５０％の銀系抗菌性ゼオライト混入したもの、ＰＥ樹脂の多孔質の燒結体で形成したものがあった（例えば、特許文献１参照。）。
【０００３】
上記構成により、空気調和機の室内機用熱交換器によって発生した凝縮水を利用して、特殊板（抗菌部材）から金属イオンを溶解させて除菌を行なう方法が提案されていた。
【０００４】
しかしながら、空気調和機の室内機用熱交換器の上部で発生する凝縮水の量は限られており、また、室内機用熱交換器の上部で発生した凝縮水のすべてが前記特殊板（抗菌部材）に触れるとは限らず、更に、前記特殊板（抗菌部材）の設置位置よりも上部の除菌を行なうことができない構成になっていることから、室内機用熱交換器、ドレンパンおよびドレンホース等全体に抗菌剤を溶解した凝縮水を行きわたらせることができないという問題点を有していた。
【０００５】
【特許文献１】
特開２００１−３４３１９６号公報（第１頁〜第８頁、第１図）
【０００６】
【発明が解決しようとする課題】
本発明においては、上記の問題点に鑑み、熱交換器で発生し流下する凝縮水の流水経路全体を効果的に除菌できるようにすることにより、抗菌および防かびの効果を更に向上できるようにした空気調和機を提供することを目的とする。
【０００７】
【課題を解決するための手段】
本発明は、上記課題を解決するため、本体に設けられた吸込口と吹出口とを結ぶ空気通路に、多数のフィンおよび伝熱管からなる熱交換器と、送風ファンとを設け、前記熱交換器の下部に、同熱交換器から滴下する凝縮水を受けるドレンパンを設けると共に、前記吸込口に臨ませた前記熱交換器の上端部に、抗菌防かび剤を含侵させた抗菌部材を装着してなり、
前記吸込口からの吸込空気と、前記熱交換器との温度差によって前記抗菌部材の表面に凝縮水を発生させ、同凝縮水により前記抗菌防かび剤を溶解して除菌水として流下させることにより、前記熱交換器および前記ドレンパンを除菌してなる構成となっている。
【０００８】
また、前記抗菌部材に、前記フィン間に嵌入して前記伝熱管に係止する係止爪が形成されてなる構成となっている。
【０００９】
また、前記抗菌部材が、熱伝導板を介して前記熱交換器の上端部に装着されるようにしてなる構成となっている。
【００１０】
また、前記抗菌部材に、前記熱伝導板に係合する係合片を形成すると共に、前記熱伝導板に、前記フィン間に嵌入して前記伝熱管に係止する係止爪が形成されてなる構成となっている。
【００１１】
また、前記抗菌部材が、合成樹脂からなる基材に抗菌防かび剤を含浸させてなる構成となっている。
【００１２】
更に、前記抗菌部材および、または前記熱伝導板が、前記吸込口に臨ませた多数の穴またはスリットを備えると共に、前記熱交換器の左右全幅にわたって装着されるようにしてなる構成となっている。
【００１３】
【発明の実施の形態】
以下、本発明の実施の形態を図面に基づいた実施例として詳細に説明する。
図１は本発明による空気調和機の説明図で、（Ａ）は図２（Ａ）で示す抗菌部材を使用した場合の断面図、（Ｂ）は図２（Ｂ）で示す抗菌部材を使用した場合の要部断面図であり、図２は本発明による空気調和機の要部説明図で、（Ａ）は抗菌装置の一実施例を、（Ｂ）は抗菌装置の他の実施例を夫々示し、図３は他の実施例の第一例を示し、図４は他の実施例の第二例を示す。
【００１４】
本発明による空気調和機は、図１で示すように、本体Ａの前面上部および上面に吸込口１を設け、下部に吹出口２を設け、これら吸込口１と吹出口２とを結ぶ空気通路に、等間隔で平行に並べられた多数のフィン３ａとこれに直交する伝熱管３ｂとからなり逆Ｖ字状に形成された熱交換器３と、送風ファン５とが設けられている。
【００１５】
これにより、前記吸込口１から吸い込まれ、前記熱交換器３により熱交換された空気が前記送風ファン５によって前記吹出口２に送出され、被空気調和室を快適に空気調和できるようになっている。
【００１６】
そして、図１で示すように、前記熱交換器３の下部には、同熱交換器３から滴下する凝縮水を受けるドレンパン４が設けられ、同ドレンパン４にはドレンホース４ａが接続されると共に、前記吸込口１に臨ませた前記熱交換器３の上端部には、一実施例として図２（Ａ）で示すように、抗菌防かび剤を含侵させた抗菌部材７が装着された構成になっている。
【００１７】
前記抗菌部材７には、前記フィン３ａ間に嵌入して前記伝熱管３ｂに係止する係止爪６が一体的に形成されており、これら抗菌部材７と係止爪６とで構成された抗菌装置９が前記熱交換器３に正確に装着されるようになっている。
【００１８】
なお、本発明による空気調和機においては、図１（Ａ）および図１（Ｂ）で示すように、前記抗菌装置９が前記熱交換器３の風上側となる前面上部および後面上部に装着された事例に基づいて説明するが、前記抗菌装置９は、図示はしないが、前記熱交換器３の上端面に装着された場合であっても本事例の場合と同様の効果を奏することになる。
【００１９】
前記抗菌部材７は、例えばポリアミド樹脂のように、成形するのに好適な合成樹脂からなる基材に、抗菌防かび剤として、ガラス材に銀あるいは銅等の金属ををイオンの状態で保持させることにより含侵（混入）させたものであって、凝縮水により銀あるいは銅系の金属イオンを溶解して除菌水として前記熱交換器３の上端部から流下させることができるようになっている。
【００２０】
すなわち、前記吸込口１からの吸込空気と、前記熱交換器３との温度差によって前記抗菌部材７の表面に凝縮水を発生させ、同凝縮水により前記抗菌部材７の金属イオンを溶解して除菌水として流下させることにより、前記熱交換器３、前記ドレンパン４および前記ドレンホース４ａを除菌できるようになる。
【００２１】
前記抗菌部材７は、板状に形成され、且つ前記熱交換器３に沿わせて装着されるようになっているので、その表面には、前記吸込空気と前記熱交換器との温度差によって凝縮水が発生しやすくなり、したがって、除菌水を多量につくって前記熱交換器３の上端部から効果的に流下させることができるようになる。
【００２２】
その際、前記抗菌部材７の表面に発生させた凝縮水により、同抗菌部材７の金属イオンを溶解して除菌水として前記熱交換器３の上端部から流下させるようになっているので、上記に説明した従来技術のように、特殊板（抗菌部材）の設置位置よりも上部の除菌を行なうことができないといった問題点を改善できるようになる。
【００２３】
または、図１で示すように、前記熱交換器３の下部には、同熱交換器３から滴下する凝縮水を受けるドレンパン４が設けられ、同ドレンパン４にはドレンホース４ａが接続されると共に、前記吸込口１に臨ませた前記熱交換器３の上端部には、他の実施例として図２（Ｂ）と、図３とで示すように、係合片７ｂを備えた板状の抗菌部材７と、同抗菌部材７が同係合片７ｂによって係合され、前記フィン３ａ間に嵌入して前記伝熱管３ｂに係止する係止爪６を備えた熱伝導板８とからなる抗菌装置９が装着されるようにした構成にしてもよい。
【００２４】
前記熱伝導板８は、例えば銅合金材もしくはアルミニウム合金材のような熱伝導性に優れた素材からなり、前記係止爪６によって前記熱交換器３のフィン３ａおよび伝熱管３ｂに正確に接触させることで前記熱交換器３と前記抗菌部材７との間における熱伝導を促進できるようになり、前記吸込口１から吸い込まれた吸込空気と前記抗菌部材７との温度差を大きくして、同抗菌部材７の表面に多量の凝縮水を発生させ、前記除菌水を豊富につくり出すことができるようになる。
【００２５】
前記熱伝導板８が備えた係止爪６は、前記熱交換器３を構成するフィン３ａ間に嵌入されることによって、また、前記伝熱管３ｂに係止されることによって前記熱交換器３に正確に接触させることができるようになり、前記熱交換器３と前記抗菌部材７との間における熱伝導を効果的に促進できるようになっている。
【００２６】
なお、前記抗菌部材７は、前記熱交換器３の全幅にわたって装着されるようになっており、これによって、前記吸込口１から吸い込まれた吸込空気と前記抗菌部材７との接触面積を大きく構成できるようになり、前記凝縮水を多量に発生させることができて前記除菌水を豊富につくり出せるようになる。
【００２７】
また、前記抗菌部材７には、一実施例として図２（Ａ）で示すように、前記熱交換器３を構成するフィン３ｂに平行なスリット７ａが複数形成されることにより、または、前記抗菌部材７および前記熱伝導板８には、他の実施例として図２（Ｂ）で示し、他の実施例の第一例として図３で示すように、前記熱交換器３を構成するフィン３ｂに平行なスリット７ａおよび８ａが連通するように複数形成されることにより、何れの場合にも、該箇所における通風性能を損ねないようにすると共に、該箇所に前記凝縮水を発生させることができるようになって前記除菌水を更に豊富につくり出せるようになっている。
【００２８】
または、図１（Ａ）および図１（Ｂ）と、図４とで示すように、前記抗菌部材７に延出部７’を連続形成すると共に、同延出部７’に、前記スリット７ａと同様に前記フィン３ｂに平行なスリット７ａ’  を設けることによって、前記凝縮水を更に多量に発生させることができるようになる。
【００２９】
なお、図４は他の実施例の第二例として示した斜視図であって、前記スリット７ａ’  は、前記フィン３ｂに対し平行に形成されていればよいので、必ずしも前記スリット７ａおよび８ａの延長上に形成されなくてもよく、前記凝縮水を発生させるための表面積や強度などを考慮して寸法および形状を適宜設定すればよい。
【００３０】
また、前記延出部７’は、前記フィン３ａの側端または前記熱伝導板８に当接する当接部７’ａ  を有しているので、前記熱交換器３への装着時に前記抗菌部材７のすわりがよくなり、また、該箇所に前記凝縮水を発生させやすくした構成になっている。
【００３１】
【発明の効果】
以上説明したように、本発明によれば、熱交換器の上端部に豊富な除菌水をつくり出す除菌装置を設けたことにより、熱交換器、ドレンパンおよびドレンホース等の流水経路全体に繁殖する細菌やかびの発生を防止できるようにした空気調和機となる。
【図面の簡単な説明】
【図１】本発明による空気調和機の説明図で、（Ａ）は図２（Ａ）で示す抗菌部材を使用した場合の断面図であり、（Ｂ）は図２（Ｂ）で示す抗菌部材を使用した場合の要部断面図である。
【図２】本発明による空気調和機の要部説明図で、（Ａ）は抗菌装置の一実施例を示し、（Ｂ）は抗菌装置の他の実施例を示す。
【図３】他の実施例の第一例を示す斜視図である。
【図４】他の実施例の第二例を示す斜視図である。
【符号の説明】
Ａ  本体
１  吸込口
２  吹出口
３  熱交換器
３ａ  フィン
３ｂ  伝熱管
４  ドレンパン
４ａ  ドレンホース
５  送風ファン
６  係止部
７  抗菌部材
７’  延出部
７ａ，８ａ  スリット
７ａ’  スリット
７ｂ  係合片
８  熱伝導板
９  抗菌装置
【図１】
2004361031.tif 000003
【図２】
2004361031.tif 000004
【図３】
2004361031.tif 000005
【図４】
2004361031.tif 000006